(57)【要約】【課題】測定流路４０に塗布配設される凝固促進剤７６が、運搬途中等で、測定流路４０内に長さ方向に往復移動自在に配設される球体７８の移動により、剥がされたり削られたりしないようにする。【解決手段】測定流路４０の底部に長さ方向の溝６２を設け、この溝６２の幅を測定流路４０内に長さ方向に往復移動し得る球体７８が溝底部に当接しないようにする。溝６２内に血液凝固促進剤７６を塗布配設する。球体７８が、凝固促進剤７６に当接しないので、球体７８が移動しても、凝固促進剤７６が剥がされたり削られたりすることがない。【選択図】  図７
2015206608.tif 000002
【特許請求の範囲】
【請求項１】
断面積に対して長い測定流路を設た測定カートリッジと、前記測定カートリッジを収容して前記測定流路内の測定血液の凝固時間を測定する測定装置本体とからなる血液凝固時間測定装置において、前記測定流路内に長さ方向に往復移動し得る移動体を配設し、この移動体を往復移動させて前記測定流路内に注入された前記測定血液を撹拌するようにし、前記測定流路の底部に長さ方向の溝を設け、この溝の幅を前記移動体が溝底部に当接しないようにし、前記溝内に凝固促進剤を塗布配設して構成したことを特徴とする血液凝固時間測定装置。
【請求項２】
請求項１記載の血液凝固時間測定装置において、前記移動体が球体であり、前記測定装置本体が測定カートリッジを前記測定流路の長さ方向に水平状態を経て長さ方向の端部が上下移動して斜め状態に傾くように揺動させて前記球体を前記測定流路内で往復移動させるように構成したことを特徴とする血液凝固時間測定装置。
【請求項３】
請求項１記載の血液凝固時間測定装置において、前記移動体が磁石からなり、前記測定装置本体に設けた磁界発生装置で、前記測定流路に与えられる磁界の方向を交互に切り換えて前記磁石を前記測定流路内で往復移動させるように構成したことを特徴とする血液凝固時間測定装置。
【請求項４】
請求項１記載の血液凝固時間測定装置において、前記移動体が強磁性体からなり、前記測定流路の両端部にそれぞれに臨んで前記測定装置本体に設けた磁界発生装置で、前記測定流路に与える磁界の発生位置を前記測定流路の一端部と他端部を交互に切り換えて前記強磁性体を前記測定流路内で往復移動させるように構成したことを特徴とする血液凝固時間測定装置。
【発明の詳細な説明】
【技術分野】
【０００１】
本発明は、血液が凝固するまでの時間を測定するために、測定流路内に塗布配設される凝固促進剤が、測定流路内に配設された移動体により剥がされたり削られたりしないようにした血液凝固時間測定装置に関するものである。
【背景技術】
【０００２】
人工透析や循環器系の手術等にあっては、血液を体外に取りだし、再び体内に戻しながら行われる。体外に取り出された血液は時間が経過すると凝固が進行し、体内に戻すのに不適当なものとなる。この血液の凝固を阻止するために、抗凝固剤が投与されるが、かかる抗凝固剤の作用効果は人体の作用により徐々に減少させられるため、血液の凝固が始まる前に抗凝固剤を再度投与する必要がある。そこで、血液が自然に凝固する前に、血液が凝固するであろう時間が予測できれば、適切な時点で抗凝固剤を再び投与することができる。ここで、体外に取り出された血液を撹拌し、また血液に凝固促進剤を混ぜると、血液の凝固が促進される。かかる現象を利用して、血液の凝固を促進しその凝固する時間を測定すれば、その測定時間から凝固促進剤を混ぜない状態での血液凝固時間の予測が可能であり、また血液を撹拌しない場合の血液凝固時間の予測が可能である。かかる目的から体外に取り出された血液の凝固時間を測定する種種の技術が提案されている。その一例として、特表２００８−５２５７８４号公報（特許文献１）に示される技術は以下のようなものである。断面積に対して長い測定流路内に磁石を長さ方向に往復動自在に配設し、測定流路に電磁コイル等を用いて外部から加える磁界方向を周期的に交互に切り換えることで磁石を往復移動させるようにし、測定流路内に投与された測定血液の凝固が進行して粘性が大きくなって、磁石の移動距離が所定値以下に短くなるまでの時間を測定する。なお、測定流路の内壁面に凝固促進剤が塗布配設されている。このようにして測定された時間から、測定血液が自然に凝固を開始する時間の予測が可能となる。また、本発明出願人が先に提案した特開２０１１−１９６８４３号公報（特許文献２）にあっては、断面積に対して長い測定流路内に磁石を長さ方向に往復動自在に配設し、測定流路に磁界発生装置としての電磁コイルを用いて、通電する電流方向を切り換えることで外部から加える磁界方向を交互に切り換えて磁石を往復移動させるようにし、測定血液の凝固により、電磁コイルの磁界方向により磁石の存在すべき位置と現実に磁石が存在する位置のずれが生ずるまでの時間を測定する。または、測定流路内に強磁性体を長さ方向に往復動自在に配設し、測定流路の両端側に設けた磁界発生装置としての電磁コイルを交互に励磁して強磁性体を往復移動させるようにし、測定血液の凝固により、電磁コイルの励磁により強磁性体の存在すべき位置と現実に強磁性体が存在する位置のずれが生ずるまでの時間を測定する。なお、特許文献２記載の技術にあっても、測定流路の内壁面に凝固促進剤が塗布配設されている。このようにして測定された時間から、測定血液が自然に凝固を開始する時間の予測が可能となる。
【特許文献１】特表２００８−５２５７８４号公報
【特許文献２】特開２０１１−１９６８４３号公報
【発明の開示】
【発明が解決しようとする課題】
【０００３】
上述の特許文献１および２に記載されたいずれの技術にあっても、測定流路の内壁面に凝固促進剤が塗布配設されているために、運搬途中等で強い衝撃等が加わると、測定流路内に配設された磁石または強磁性体が測定流路内を長さ方向に移動して内壁面の凝固促進剤を剥がしたり削ったりする虞がある。このようにして凝固促進剤が剥がれまたは削られたりしていると、剥がれたり削られたりしていない状態での測定流路内に投与された測定血液との混合状態が異なり、測定の精度に悪い影響を与えるという不具合が生ずる。そこで、凝固促進剤と測定血液の混合状態の違いが生じないように、運搬等には細心の注意が必要であった。
【０００４】
本発明は、かかる従来技術の事情に鑑みてなされたもので、運搬途中等で凝固促進剤が剥がれまたは削られたりしないようにして、測定流路に投与された測定血液に凝固促進剤が適正に混合され得るようにした血液凝固時間測定装置を提供することを目的とする。
【課題を解決するための手段】
【０００５】
かかる目的を達成するために、本発明の血液凝固時間測定装置は、断面積に対して長い測定流路を設た測定カートリッジと、前記測定カートリッジを収容して前記測定流路内の測定血液の凝固時間を測定する測定装置本体とからなる血液凝固時間測定装置において、前記測定流路内に長さ方向に往復移動し得る移動体を配設し、この移動体を往復移動させて前記測定流路内に注入された前記測定血液を撹拌するようにし、前記測定流路の底部に長さ方向の溝を設け、この溝の幅を前記移動体が溝底部に当接しないようにし、前記溝内に凝固促進剤を塗布配設して構成されている。
【０００６】
そして、前記移動体が球体であり、前記測定装置本体が測定カートリッジを前記測定流路の長さ方向に水平状態を経て長さ方向の端部が上下移動して斜め状態に傾くように揺動させて前記球体を前記測定流路内で往復移動させるように構成しても良い。
【０００７】
また、前記移動体が磁石からなり、前記測定装置本体に設けた磁界発生装置で、前記測定流路に与えられる磁界の方向を交互に切り換えて前記磁石を前記測定流路内で往復移動させるように構成することもできる。
【０００８】
そしてまた、前記移動体が強磁性体からなり、前記測定流路の両端部にそれぞれに臨んで前記測定装置本体に設けた磁界発生装置で、前記測定流路に与える磁界の発生位置を前記測定流路の一端部と他端部を交互に切り換えて前記強磁性体を前記測定流路内で往復移動させるように構成することもできる。
【発明の効果】
【０００９】
請求項１記載の血液凝固時間測定装置にあっては、測定流路の底部に長さ方向の溝を設け、この溝内に凝固促進剤を塗布配設し、この溝の幅を測定流路内を長さ方向に往復移動する移動体が溝底部に当接しないようにしているので、移動体の移動により凝固促進剤が剥がされたり削られるようなことがない。そこで、測定カートリッジの運搬中等において、移動体の移動で凝固促進剤が剥離したり削られるようなことがない。もって、測定血液の撹拌に伴い凝固促進剤が溶けだして混合され、凝固促進剤と測定血液の混合状態の再現性に優れていて、凝固時間の測定精度にバラツキが生じにくい。
【００１０】
そして、請求項１ないし３記載のいずれの血液凝固時間測定装置においても、測定流路内で移動体を移動させる構造が相違するが、移動体の移動で、溝内に塗布配設された凝固促進剤が剥がされたり削られるようなことがない。
【発明を実施するための最良の形態】
【００１１】
以下、本発明の血液凝固時間測定装置の第１実施例につき、図１ないし図１０を参照して説明する。図１は、本発明の血液凝固時間測定装置の第１実施例の外観斜視図であり、測定装置本体と測定カートリッジからなり、測定装置本体に測定カートリッジを挿入する前の状態を示す。図２は、図１の状態から、測定装置本体に測定カートリッジを挿入した状態を示す。図３は、図２の状態の測定装置本体の内部を示す一部切り欠き図であり、（ａ）は一部切り欠き正面図であり、（ｂ）は一部切り欠き側面図である。図４は、測定装置本体内に設けられたカートリッジ収容部材の縦断面図と揺動機構を示す図である。図５は、測定装置本体内でのカートリッジ収容部材の動きを示す図であり、（ａ）は先端部を斜め上方に揺動させた状態であり、（ｂ）は先端部を斜め下方に揺動させた状態である。図６は、測定カートリッジの構造を示す図であり、（ａ）は一部切り欠き平面図であり、（ｂ）は左側面図であり、（ｃ）は（ａ）のＡ−Ａ断面矢視図であり、（ｄ）は（ａ）のＢ−Ｂ断面矢視図である。図７は、測定カートリッジに設けられた測定流路の構造を示し、（ａ）は平面図であり、（ｂ）は（ａ）のＡ−Ａ断面矢視図であり、（ｃ）は（ａ）のＢ−Ｂ断面矢視拡大図である。図８は、測定カートリッジに設けられたシリンダ機構のピストンをシリンダ駆動機構のロッドで押圧することを示す図である。図９は、カートリッジ収容部に測定カートリッジを収容した状態で、揺動させたときの測定流路内の測定血液と球体の状態を示し、（ａ）は先端側を斜め上方に最も上げた状態であり、（ｂ）は先端側を斜め下方に最も下げた状態である。
【００１２】
第１実施例において、本発明の血液凝固時間測定装置は、図１に示すように、測定装置本体１０と測定カートリッジ１２により構成される。測定装置本体１０には、操作手段としての電源スイッチ１４やスタートスイッチ１６および凝固時間を表示するために表示手段１８が設けられ、さらに測定カートリッジ１２を測定装置本体１０内に挿入して収容し得るように開口部２０が設けられている。図２に示すように、測定装置本体１０に測定カートリッジ１２を長さ方向に挿入し、この挿入状態で測定カートリッジ１２の挿入後端部が測定装置本体１０の外側に位置し、後述する血液注入口２２に測定血液を注入できる状態とされる。測定装置本体１０内において、図３および図４に示すごとく、測定カートリッジ１２が挿入されてこれを収容し得るカートリッジ挿入孔２４が設けられたカートリッジ収容部材２６が、カートリッジ挿入孔２４の開口を測定装置本体１０の開口部２０に臨むようにして、揺動軸２８により揺動自在に配設される。カートリッジ収容部材２６には、ガイドピン３０が設けられ、測定装置本体１０に設けられた揺動機構３２のカム３４が当接している。このカム３４は、モーター３６により回転駆動され、その回転状態がフォトインタラプタ３８により検出されて、回転方向の切り換え制御がなされる。よって、カートリッジ収容部材２６がカム３４の回転により揺動させられる。さらに、カートリッジ収容部材２６には、挿入収容された状態の測定カートリッジ１２の中央部に臨んで、後述する測定流路４０に臨んでこれを上下方向に挟むように発光装置４２と受光装置４４が配設される。これらの発光装置４２と受光装置４４で受光検出手段が構成される。また、カートリッジ挿入孔２４に測定カートリッジ１２が適切に挿入されたことを検出するためのリミットスイッチ４６がカートリッジ挿入孔２４の奥の位置に配設される。さらに、測定カートリッジ１２を所定温度に維持するためヒーター４８と温度センサー５０が配設される。そして、カートリッジ収容部材２６には、測定カートリッジ１２に設けられた後述するシリンダ機構５２のピストン５４を押圧移動させるためのシリンダ駆動機構としてのロッドスライド機構５６が設けられている。揺動機構３２のカム３４の回転により、図５に示すごとく、カートリッジ収容部材２６が、（ａ）に示すごとく先端側が斜め上方に上げられた状態と、（ｂ）に示すごとく先端部が斜め下方に下げられた状態との間で揺動させられる。先端部が斜め上方に最も上げられた状態と先端部が斜め下方に最も下げられた状態とは、カム３４の位置がフォトインタラプタ３８により検出されて、マイクロコンピュータ等により適宜に制御されて、揺動方向の切り換えがなされる。
【００１３】
測定カートリッジ１２は、図６と図７に示すごとく、全体が樹脂等の透明部材からなる偏平形状であり、上下の面がそれぞれ薄い封止材５８、５８で覆われている。一例として、長さが約８０ｍｍ、幅が約２５ｍｍ、厚さが約８ｍｍである。そして、中心部材６０に長さ方向に長い測定流路４０が上方から切削されて設けられ、その底部に長さ方向に幅の細い溝６２が設けられる。この溝６２内に凝固促進剤７６が塗布配設される。なお、溝６２は、受光検出手段の光軸が通過する測定流路４０の中央部の位置には設けられていないことが望ましい。測定流路４０は、一例として長さ約２５ｍｍで、幅は約５ｍｍで、深さは約７ｍｍである。また、中心部材６０の挿入後端部側に上方から血液注入口２２が切削されて設けられる。さらに、中心部材６０の挿入先端面からシリンダ機構５２のシリンダ壁６４となる孔が深く穿設される。なお、この孔は、開口側が大きな径で途中で段差を設けて穿設される。さらに、この孔の穿設先端部に中心部材６０の外側と連通する空気抜き孔６６が穿設される。そして、中心部材６０に下方から血液注入口２２の底部と測定流路４０の一端部の底部を連通する連通路６８として幅が狭く深さの浅い溝が切削されて設けられる。また、中心部材６０に下方から測定流路４０の他端部の底部とシリンダ機構５２のピストン５４の移動で内容積が大きくなる圧力室を連通する第２連通路７０として幅が狭く深さの浅い溝が切削されて設けられる。測定流路４０は上面に設けた封止材５８により蓋がなされ、連通路６８と第２連通路７０は下面に設けた封止部材５８により蓋がなされる。シリンダ機構５２のシリンダ壁６４となる孔には、先端側の径の小さい孔のシリンダ壁６４に密着して摺動するガスケット７２を設けたピストン５４が挿入される。また、孔の大きな径の段差の部分にピストン５４が貫通するブッシュ７４が配設される。ガスケット７２とブッシュ７４の間の圧力室が、ピストン５４の移動によりその内容積が増大するシリンダ機構５２が構成されている。
【００１４】
揺動機構３２の駆動によりカートリッジ収容部材２６が揺動されると、図９（ａ）に示すように測定カートリッジ１２の挿入先端側が上方斜めに最も上げられた状態では、球体７８は挿入先端側とは反対の他端側にあり、測定血液も他端側に溜まった状態である。そしてこの状態で、受光検出手段の光軸が通過する測定流路４０の中央部の底に付着している測定血液の厚さを透過する光量が検出される。また、揺動が切り換えられて、図９（ｂ）に示すように測定カートリッジ１２の挿入先端側が下方斜めに最も下げられた状態では、球体７８は挿入先端側にあり、測定血液も先端側に溜まった状態である。そしてこの状態で、受光検出手段の光軸が通過する測定流路４０の中央部の底に付着している測定血液の厚さを透過する光量が検出される。かかる揺動が繰り返されて、測定血液の凝固が進行して行くと、測定流路４０の中央部に付着する測定血液の厚さが少しずつ厚くなる。そして、この底部に付着する測定血液の層が厚くなるほど、透過する光量が減少して受光量に応じた信号値は減少する。なお、受光検出手段は、赤外光を用いる。そこで、測定流路４０内に所定量の測定血液が吸引されて何度かの揺動がなされ、測定流路４０の内壁が測定血液で濡れた状態で、初期値として受光量に応じた信号値が検出されて記憶される。さらに、揺動操作毎に信号値が検出され、初期値に対して信号値が変化し、判別手段によりその変化した割合が演算され、所定の割合またはそれ以上に変化したか否かが判別され、所定の割合またはそれ以上に変化するまで揺動動作と時間計測が継続される。そして、信号値の変化分が大きくなり、所定の割合またはそれ以上に変化すると、揺動動作が停止されるとともに時間計測が停止され、測定された時間が表示手段１８により凝固時間として表示される。なお、これらの信号値の検出制御および判別動作等は、図示しないマイクロコンピュータにより行われる。
【００１５】
図９（ａ）（ｂ）に示すごとく、測定カートリッジ１２が揺動されて、球体７８が測定流路４０内を往復移動することで、測定流路４０内の測定血液が撹拌される。そして、この撹拌される測定血液に溝６２内に塗布配設されている凝固促進剤７６が溶けだして混入し、しかも撹拌により凝固促進剤７６が測定血液に均等に混合される。測定血液に対する凝固促進剤７６の混入濃度が、再現性に優れており、測定血液が凝固するまでの時間を測定する精度が優れたものとなる。なお、測定血液の凝固時間を測定する前に凝固促進剤が剥がれたり削られたりしている状態では、測定血液に対する凝固促進剤の混入度合いが一定とならず、測定結果にバラツキを生じさせ易い。
【００１６】
次に、図１０と図１１を参照して本発明の血液凝固時間測定装置の第２実施例で用いる測定カートリッジを説明する。図１０は、第２実施例で用いる測定カートリッジの構造を示す図であり、（ａ）は平面図であり、（ｂ）は（ａ）のＡ−Ａ断面矢視図であり、（ｃ）は（ａ）のＢ−Ｂ断面矢視図である。図１１は、図１０に示す測定カートリッジの使用方法を示す図であり、（ａ）は測定流路に分注器で測定血液を注入する図であり、（ｂ）は測定流路に分注器で測定血液が注入された状態示す図であり、（ｃ）は測定流路に測定血液が注入された測定カートリッジを長さ方向の端部を揺動させて、球体の往復移動により測定血液で測定流路の内壁を濡らした状態の図である。
【００１７】
第２実施例で用いる測定カートリッジ１１２の構造は、図１０に示すごとく、全体が透明部材からなる偏平形状であり、中心部材１１４の中央部に長さ方向に長い測定流路４０が上方から切削され、その上面が薄い封止材１１６で蓋がなされている。測定流路４０の底部には長さ方向に幅の狭い溝６２が設けられ、この溝６２内に凝固促進剤７６が塗布配設される。そして、測定流路４０内に長さ方向に往復動自在に球体７８が配設される。溝６２の幅は、第１実施例と同様に、球体７８が溝６２の底に当接しないように設定される。この第２実施例の測定カートリッジ１１２の全体の寸法は、一例として、長さが約８０ｍｍ、幅が約１３ｍｍ、厚さが約８ｍｍである。そして、図１１に示すごとく、まず分注器１２０で所定量の測定血液を採取し、その測定血液を（ａ）のごとく注入穴１１８から測定流路４０内に注入する。この測定血液が分注器１２０で測定流路４０に注入された状態では、（ｂ）のごとく、表面張力により測定血液が測定流路４０内を流動するようなことがない。そこで、測定カートリッジ１１２を測定流路４０の長さ方向の端部が上下動するように揺動させて球体７８を測定流路４０内で往復移動させれば、測定流路４０の内壁を測定血液で濡らした（ｃ）のごとき状態となる。そして、第１実施例と同様に、測定装置本体１０の測定カートリッジ挿入口２４に挿入することで、第１実施例と同様に凝固時間を測定することができる。
【００１８】
なお、上述の実施例の説明において、移動体としての球体７８は、測定流路４０内を揺動に伴って長さ方向に往復移動自在であれば良く、球形状に限られず、円板状であっても良い。この円板状とすると、円板の側面と測定流路４０の内壁の接触面積が大きくなり、移動に対して抵抗として作用する場合があるが、測定流路４０の内壁に円板の側面に接触する長さ方向の突条を設けたり、円板の側面の中央部に突起を設けるなどして、接触抵抗を小さなものとすればよい。また、円板の側面を外側が凸なる曲面としても良く、さらには側面から見た形状は円形であるが縦断面形状が縦に長い楕円形であっても良い。また、球体４０は、測定血液より比重の重いものであれば良く、鉄製に限られず、ガラス製等であっても良い。
【００１９】
また、上述の実施例の説明にあっては、測定カートリッジ１２を揺動させて測定流路４０内の球体７８を往復移動させて球体７８による撹拌するとともに凝固促進剤７６により測定血液の凝固を促進して凝固するまでの時間を測定しているが、凝固時間の測定は他の方法であっても良い。例えば、特許文献１に記載された技術のごとく、測定流路内に移動体としての磁石を長さ方向に移動自在に配設し、測定流路に加える磁界方向を一定周期で交互に切り換え、磁界方向の切り換えに伴って磁石を往復移動させ、測定血液の凝固の進行による粘性の増加によって、一定周期の間に磁石が移動し得る距離の変化から、凝固時間を測定するようにしても良い。そして、かかる測定方法にあっても、測定流路の底に溝を設けて凝固促進剤を塗布配設し、この溝の幅を磁石が底部に当接しない狭いものに設定すればよい。また、特許文献２に記載された技術のごとく、測定流路内に移動体としての磁石または強磁性体を長さ方向に移動自在に配設し、この磁石または強磁性体の往復移動から、測定血液の凝固時間を測定する技術にあっても、測定流路の底に溝を設けて凝固促進剤を塗布配設し、この溝の幅を磁石または強磁性体が底部に当接しない狭いものに設定すればよい。このように測定流路内に移動体を往復移動自在に配設して、測定血液の凝固時間を測定する如何なる技術であっても、本発明の測定流路の底に溝を設けて凝固促進剤を塗布配設し、この溝の幅を移動体が底部に当接しない狭いものに設定する技術を適用し得ることは容易に理解されるであろう。さらに、上述の実施例のごとく、凝固時間の測定に測定流路の中央部を光軸が通過する受光検出手段を用いる技術にあっては、光軸が通過する位置に凝固促進剤７６が配設された溝６２が設けられていないことが望ましいために、溝６２が長さ方向の途中で分断されて設けられている。しかるに、特許文献１や特許文献２に記載の技術のごとく、測定流路の中央部を光軸が通過しないものにあっては、溝６２が途中で分断される必要がないのは勿論である。
【図面の簡単な説明】
【００２０】
【図１】本発明の血液凝固時間測定装置の第１実施例の外観斜視図であり、測定装置本体と測定カートリッジからなり、測定装置本体に測定カートリッジを挿入する前の状態を示す。
【図２】図１の状態から、測定装置本体に測定カートリッジを挿入した状態を示す図である。
【図３】図２の状態の測定装置本体の内部を示す一部切り欠き図であり、（ａ）は一部切り欠き正面図であり、（ｂ）は（ａ）のＡ−Ａで一部切り欠いた側面図である。
【図４】測定装置本体内に設けられたカートリッジ収容部材の縦断面図と揺動機構を示す図である。
【図５】測定装置本体内でのカートリッジ収容部材の動きを示す図であり、（ａ）は先端部を斜め上方に揺動させた状態であり、（ｂ）は先端部を斜め下方に揺動させた状態である。
【図６】測定カートリッジの構造を示す図であり、（ａ）は一部切り欠き平面図であり、（ｂ）は側面図であり、（ｃ）は（ａ）のＡ−Ａ断面矢視図であり、（ｄ）は（ａ）のＢ−Ｂ断面矢視図である。
【図７】測定カートリッジに設けられた測定流路の構造を示し、（ａ）は平面図であり、（ｂ）は（ａ）のＡ−Ａ断面矢視図であり、（ｃ）は（ａ）のＢ−Ｂ断面矢視拡大図である。
【図８】測定カートリッジに設けられたシリンダ機構のピストンをシリンダ駆動機構のロッドで押圧することを示す図である。
【図９】カートリッジ収容部に測定カートリッジを収容した状態で、揺動させたときの測定流路内の測定血液と球体の状態を示し、（ａ）は先端側を斜め上方に最も上げた状態であり、（ｂ）は先端側を斜め下方に最も下げた状態である。
【図１０】第２実施例で用いる測定カートリッジの構造を示す図であり、（ａ）は平面図であり、（ｂ）は（ａ）のＡ−Ａ断面矢視図であり、（ｃ）は（ａ）のＢ−Ｂ断面矢視図である
【図１１】図１０に示す測定カートリッジの使用方法を示す図であり、（ａ）は測定流路に分注器で測定血液を注入する図であり、（ｂ）は測定流路に分注器で測定血液が注入された状態示す図であり、（ｃ）は測定流路に測定血液が注入された測定カートリッジを長さ方向の端部を揺動させて、球体の往復移動により測定血液で測定流路の内壁を濡らした状態の図である。
【符号の説明】
【００２１】
１０  測定装置本体
１２  測定カートリッジ
１４  電源スイッチ
１６  スタートスイッチ
１８  表示手段
２０  開口部
２２  血液注入口
２４  カートリッジ挿入孔
２６  カートリッジ収容部材
２８  揺動軸
３０  ガイドピン
３２  揺動機構
３４  カム
３６  モーター
３８  フォトインタラプタ
４０  測定流路
４２  発光装置
４４  受光装置
４６  リミットスイッチ
４８  ヒーター
５０  温度センサー
５２  シリンダ機構
５４  ピストン
５６  ロッドスライド機構
５８  封止材
６０  中心部材
６２  溝
６４  シリンダ壁
６６  空気抜き孔
６８  連通路
７０  第２連通路
７２  ガスケット
７４  ブッシュ
７６  凝固促進剤
７８  球体
８０  ロッド
１１２  測定カートリッジ
１１４  中心部材
１１６  封止材
１１８  注入穴
１２０  分注器
【図１】
2015206608.tif 000003
【図２】
2015206608.tif 000004
【図３】
2015206608.tif 000005
【図４】
2015206608.tif 000006
【図５】
2015206608.tif 000007
【図６】
2015206608.tif 000008
【図７】
2015206608.tif 000009
【図８】
2015206608.tif 000010
【図９】
2015206608.tif 000011
【図１０】
2015206608.tif 000012
【図１１】
2015206608.tif 000013